(57)【要約】【課題】基板ボックスに対する不正行為を防止することができるとともに、その基板ボックスの保守・点検を容易に行うことができる遊技機を提供する。【解決手段】遊技機のボックス装着部７０に、制御基板８６を有する基板ボックス８０が装着された遊技機であって、ボックス装着部７０に対し基板ボックス８０が、その一側近傍を回動支点として回動可能に装着されている。【選択図】        図１
2004275391.tif 000002
【特許請求の範囲】
【請求項１】
遊技機のボックス装着部に、制御基板を有する基板ボックスが装着された遊技機であって、
前記ボックス装着部に対し前記基板ボックスが、その一側近傍を回動支点として回動可能に装着されていることを特徴とする遊技機。
【発明の詳細な説明】
【０００１】
【発明の属する技術分野】
この発明は、スロットマシン、パチンコ機、あるいはこれらに類する遊技機に関する。
【０００２】
【従来の技術】
この種の遊技機において、遊技機の所定位置に配設される部材の一部にボックス装着部が形成され、そのボックス装着部に、制御基板を有する基板ボックスが装着されている。
また、従来、ボックス装着部に対し基板ボックスは、その内部に収納された制御基板の裏面（実装面と反対側のはんだ面）がボックス装着部に対向し、同制御基板の実装面が作業者に向く側に位置するように装着されている。
これによって、ボックス装着部に装着されている基板ボックスの保守・点検作業、あるいは、基板ボックスの封印作業やその後の封印状態の確認、あるいは基板ボックス内の制御基板の実装面に配設された基板コネクタに対する接続線の端末コネクタの接続作業やその後の接続状態の確認等がしやすいようになっている（例えば、特許文献１参照）。
【０００３】
【特許文献１】
特開２００２−２８２５００公報（第３−７頁、図５−６）
【０００４】
【発明が解決しようとする課題】
ところで、前記したように、制御基板の実装面が作用者に向く側に位置するようにボックス装着部に基板ボックスが装着されると、基板ボックスの保守・点検作業等がしやすくなる反面、不正行為（例えば、基板コネクタに対し不正の接続線が接続される不正行為、あるいは不正信号が出力される不正行為）がされやすくなるという問題点があった。
【０００５】
この発明の目的は、前記問題点に鑑み、基板ボックスに対する不正行為を防止することができるとともに、その基板ボックスの保守・点検を容易に行うことができる遊技機を提供することである。
【０００６】
【課題を解決するための手段】
前記目的を達成するために、手段１の発明に係る遊技機は、請求項１に記載のとおりの構成、すなわち、
「遊技機のボックス装着部に、制御基板を有する基板ボックスが装着された遊技機であって、
前記基板ボックスの制御基板の実装面が前記ボックス装着部に対向する装着位置と、同装着位置から回動変位した回動位置とに配置切換可能に、前記ボックス装着部に対し前記基板ボックスが、その一側近傍を回動支点として回動可能に装着されていることを特徴とする遊技機。」を要旨とする。
したがって、ボックス装着部に基板ボックスが装着位置に配置された状態にあるときには、その基板ボックスの制御基板の実装面がボックス装着部に対向する。このため、装着位置に配置された基板ボックスの制御基板の実装面に対し不正行為が行われるとこを防止することができる。
また、ボックス装着部に装着された基板ボックスを保守・点検する場合、基板ボックスが装着位置から所定角度だけ回動変位した回動位置に配置切換される。
基板ボックスが回動位置に配置切換されることで、同基板ボックスの制御基板の実装面が視認可能となる。このため、基板ボックスの保守・点検が容易となる。
【０００７】
また手段２の発明に係る遊技機は、手段１に記載の遊技機であって、基板ボックスの制御基板の実装面には、基板ボックスから露出しかつ接続線の端末コネクタが差し込まれる基板コネクタが配設される一方、ボックス装着部には、前記基板ボックスが回動位置から装着位置に向けて回動されるときに前記基板コネクタに対し前記端末コネクタを所定の差し込み位置に向けて押し付ける突出部が形成されている。
したがって、仮に、基板コネクタに対し接続線の端末コネクタの差し込み量が不足している場合、基板ボックスが回動位置から装着位置に向けて回動されると、基板コネクタに対し接続線の端末コネクタが、ボックス装着部の突出部によって所定の差し込み位置に向けて押し付けられる。このため、基板コネクタに対し接続線の端末コネクタを所定の差し込み位置まで差し込むことができる。この結果、基板コネクタに対する接続線の端末コネクタの差し込み量の不足が原因となる接続不良を防止することができる。
【０００８】
【発明の実施の形態】
この発明の実施の形態を図面にしたがって説明する。
図１はスロットマシンあるいはそれに類する遊技機の筺体に対し上下の両扉体が開放された状態を示す斜視図である。図２は遊技機の正面図である。図３は遊技機の側面図である。
図１〜図３において、遊技機は、筺体１０、遊技ユニット２０、メダル払出装置６０、上扉体５０及び下扉体６２等を備えて構成されている。
筺体１０は、天板１１、底板１２、左右の両側板１３、１４及び背面板１５によって前方開口する略方形箱形に形成され、その左右の両側板１３、１４の間の略中間高さ位置には棚板１６が略水平状をなして固定状態で架設されている。
また、棚板１６の左右両側部には、次に述べる遊技ユニット２０を出し入れ案内するための凹状の案内レール１７がそれぞれ形成されている。
【０００９】
図１と図４に示すように、筺体１０内部の棚板１６よりも上方において、その棚板１６上には、筺体１０の前側開口部から押し込み操作によって装着可能で、かつ引き出し操作によって取り外し可能な遊技ユニット２０が設置されかつ適宜の締結装置６６によって締結された状態で装着されている。
図４と図５に示すように、遊技ユニット２０は、その本体部（フレーム部）をなすユニット本体枠２１に対し、回胴回転装置４０、基板ボックス８０、上扉体５０等が組み付けられて構成され、ユニット化されている。
【００１０】
図４と図５に示すように、ユニット本体枠２１は、上枠部２２、底枠部２３、左右の両側枠部２４、２５、前枠部２６及び後枠部２７を備えて略直方体形状の枠状に形成されている。このユニット本体枠２１の底枠部２３の奥側の左右両側部には棚板１６の案内レール１７上を滑走可能なローラ３５が回転可能に装着され、同底枠部２３の前側の左右両側部には棚板１６の案内レール１７上に設置される脚体３６が突設されている。
また、ユニット本体枠２１の底枠部２３上には回胴回転装置４０がその装置フレーム部において固定状態で取り付けられている。この回胴回転装置４０は、周知のように、そのフレーム部に、複数（例えば、３つ）の回胴体４１（回転リール、回転ドラム等とも呼ばれる）を並列状に備えている。これら複数の回胴体４１の外周面には、それぞれ複数の図柄が表示されている。
【００１１】
また、この実施の形態において、図５に示すように、ユニット本体枠２１の前側（筺体１０の前側上半部に対応する部分）には、上扉体５０がその一側において上扉用ヒンジ機構４５によって開閉可能に装着されている。また、上扉体５０の自由端側には、同上扉体５０の前側に設けられたシリンダー錠（図示しない）によって施錠・解錠操作される施錠装置が配設されている。そして、上扉体５０は、その施錠装置が解錠されることで、上扉用ヒンジ機構４５を開閉支点としてユニット本体枠２１の前方に開放されるようになっている。
また、図５に示すように、上扉体５０の所定位置には、回胴回転装置４０の複数の回胴体４１の図柄を透視可能な透し窓５１が形成されるとともに、その透し窓５１の上方には遊技演出等に関する図柄を変動表示するための表示面５２ａを有する前面に有する表示装置（例えば液晶パネル装置）５２が配設されている（図２参照）。
【００１２】
また、図１と図４に示すように、筺体１０内部の棚板１６よりも下方において、その筺体１０の底板１２上は複数の回胴体４１の図柄が当たり図柄の組合せとなって停止したときに賞品としてのメダルを払い出すためのメダル払出装置６０が前方に引き出し可能に設置されている。
また、筺体１０の前側下半部には、上扉体５０の下端部に略連続状をなして下扉体６２がその一側において下扉用ヒンジ機構６１によって開閉可能に装着されている。
また、下扉体６２の自由端側には、同下扉体６２の前側に設けられたシリンダー錠によって施錠・解錠操作される施錠装置が配設されている。そして、下扉体６２は、施錠装置が解錠されることで、下扉用ヒンジ機構６１を開閉支点として筺体１０の前方に開放されるようになっている。
また、図２に示すように、下扉体６２の前側には作動レバー（スタートレバー）６３、回胴体４１に対応する複数（例えば３つ）のストップボタン６４、メダル投入口６６、メダル受け皿６７、スピーカー等が配設されている。
【００１３】
前記した遊技機の所定位置に配設された部材の一部にはボックス装着部７０が設けられ、そのボックス装着部７０には、回胴回転装置４０の複数の回胴体４１を個別に回転駆動する回胴モータ（ステッピングモータ）やメダル払出装置６０の払出モータ等を作動制御する制御基板（主制御基板）８６を収納した基板ボックス８０が装着されている。
この実施の形態において、図５〜図８に示すように、ユニット本体枠２１の後枠部２７をボックス装着部材とし、その後枠部２７の前側上部にボックス装着部７０が設けられている。そして、ボックス装着部７０には、基板ボックス８０に対応する一対の取付ブラケット７１と、基板ボックス８０を装着位置に係脱可能に保持するための保持部材９８とがそれぞれ配設されている。
また、この実施の形態において、保持部材９８は、基板ボックス８０を装着位置に弾性的に保持するために、ボックス装着部７０から前方に向けて突出されるとともに弾性変形可能に形成され、その突出端には係止爪９９が形成されている。
【００１４】
図６〜図８に示すように、ボックス装着部７０の一対の取付ブラケット７１の間には、基板ボックス８０が、その一側（図７に向かって下側）近傍において軸７５を回動支点として回動可能に装着されている。
特に、基板ボックス８０は、軸７５を回動支点として回動されることで、図７に示すように、その内部に収納された制御基板８６の実装面８６ａがボックス装着部７０に対向する装着位置と、図８に示すように、装着位置から略９０度前側に回動変位した回動位置とに配置切換されるようになっている。そして、図７に示すように、基板ボックス８０が装着位置に配置されたときには、保持部材９８の係止爪９９が基板ボックス８０に弾性的に係合し、その係合力によって基板ボックス８０が装着位置に保持されるようになっている。
【００１５】
また、この実施の形態において、図７に示すように、基板ボックス８０は、内部に制御基板８６が収納されるベース体８１とカバー体８２とを主体として構成され、これらベース体８１及びカバー体８２は、制御基板８６を外部から透視可能に共に透明な合成樹脂材より形成されている。
また、ベース体８１は、略方形の薄箱状に形成され、その開口部近傍には制御基板８６が、そのはんだ面（裏面）８６ｂをベース体８１の底面に向け、実装面８６ａを表向きにして設置されるとともに、ビス等によって固定されている。
【００１６】
ベース体８１の開口部とともに制御基板８６の実装面８６ａを覆うカバー体８２は、ベース体８１に対応する略方形箱状に形成され、その一側においてヒンジ機構８８によってベース体８１の開口部一側に開閉可能に装着されている（図６参照）。
また、図に示すように、ベース体８１とカバー体８２との自由端側の所定位置には、封印ねじ８５によってカバー体８２を閉じ状態に封印する複数の封印部８３、８４がそれぞれ形成されている。
そして、前記したように構成される基板ボックス８０は、そのベース体８１とカバー体８２とのいずれか一方の部材（この実施の形態ではベース体８１）が、その下部両側部に設けられた支持部８９において、ボックス装着部７０の一対の取付ブラケット７１に軸７５を回動支点として回動可能に装着されている。
【００１７】
図７と図８に示すように、基板ボックス８０に収納された制御基板８６の実装面８６ａには、制御回路を構成する各種の電子部品８６ｃの他、複数あるいは単数の基板コネクタ８７が配設される。
一方、カバー体８２の一部には、基板コネクタ８７に対応するコネクタ用開口部が形成され、その開口部に露出する基板コネクタ８７に対し接続線９０の端末コネクタ９１が差し込まれて電気的に接続されるようになっている。
また、この実施の形態において、ボックス装着部７０には、図７と図８に示すように、基板ボックス８０が回動位置から装着位置に向けて回動されるときに基板コネクタ８７に対し接続線９０の端末コネクタ９１を所定の差し込み位置に向けて押し付ける突出部９５が基板コネクタ８７に対応する位置に突設されている。
【００１８】
この実施の形態に係る遊技機は上述したように構成される。したがって、図７に示すように、ボックス装着部７０に基板ボックス８０が装着位置に配置された状態にあるときには、その基板ボックス８０の制御基板８６の実装面８６ａがボックス装着部７０に対向する。このため、基板ボックス８０が装着位置に配置された状態にあるときには、基板ボックス８０の制御基板８６の実装面８６ａに対し不正行為が行われるとこを防止することができる。
【００１９】
また、ボックス装着部７０に装着された基板ボックス８０を保守・点検等を行う場合、まず、保持部材９８の係止爪９９が基板ボックス８０から外れる位置まで保持部材９８を弾性的に変形させた後、基板ボックス８０を軸７５を支点として装着位置から略９０度回動変位した回動位置に配置切換する（図８参照）。
図８に示すように、基板ボックス８０が回動位置に配置切換されることで、同基板ボックス８０の制御基板８６の実装面８６ａが視認可能となる。このため、基板ボックス８０の保守・点検、あるいは、基板ボックス８０の封印部８３、８４に封印ねじ８５を締め付ける封印作業やその後の封印状態の確認、あるいは基板ボックス８０内の制御基板８６の実装面８６ａに配設された基板コネクタ８７に対する接続線９０の端末コネクタ９１の接続作業やその後の接続状態の確認等を容易にかつ確実に行うことができる。
【００２０】
また、この実施の形態において、ボックス装着部７０には、基板ボックス８０が図８に示す回動位置から図７に示す装着位置に向けて回動されるときに基板コネクタ８７に対し端末コネクタ９１を所定の差し込み位置に向けて押し付ける突出部９５が形成されている。
したがって、仮に、基板コネクタ８７に対し接続線９０の端末コネクタ９１の差し込み量が不足している場合、基板ボックス８０が回動位置から装着位置に向けて回動されると、基板コネクタ８７に対し接続線９０の端末コネクタ９１が、ボックス装着部７０の突出部９５によって所定の差し込み位置に向けて押し付けられる。このため、基板コネクタ８７に対し接続線９０の端末コネクタ９１を所定の差し込み位置まで差し込むことができる。この結果、基板コネクタ８７に対する接続線９０の端末コネクタ９１の差し込み量の不足が原因となる接続不良を防止することができる。
【００２１】
なお、この発明は前記実施の形態に限定するものではない。
例えば、前記実施の形態では、基板ボックス８０を軸７５を支点として装着位置から略９０度回動変位した回動位置に配置切換可能に構成される場合を例示したが、基板ボックス８０を軸７５を支点として装着位置から９０度以上の角度（例えば、１２０度、１８０度等の角度）において回動変位した回動位置に配置切換可能に構成してもよい。
【００２２】
また、前記実施の形態では、ユニット本体枠２１に対し、回胴回転装置４０、基板ボックス８０、上扉体５０等が組み付けられてユニット化された遊技ユニット２０が筺体１０の棚板１６上に取り外し可能に設置されるように構成したが、ユニット本体枠２１を設けることなく、筺体１０の棚板１６上に回胴回転装置４０を直接的に設置するように構成し、筺体１０の前側上部に上扉体５０を開閉可能に装着した形式のスロットマシンやそれに類する遊技機である場合においてもこの発明を実施することができる。
また、筺体１０の前側に上扉体５０と下扉体６２とを上下に分離することなく１つの扉体を開閉可能に装着した形式のスロットマシンやそれに類する遊技機である場合においてもこの発明を実施することができる。
前記した各形式のスロットマシンやそれに類する遊技機である場合、筺体１０の背面板１５をボックス装着部材とし、その背面板１５内面の所定位置にボックス装着部７０が設けられたり、あるいは。筺体１０の側板１３（又は１４）をボックス装着部材とし、その側板１３（又は１４）内面の所定位置にボックス装着部が設けられる。
また、前記実施の形態では、基板ボックス８０内に収納される制御基板８６が主制御基板である場合を例示したが、主制御基板以外の副制御基板、音声制御基板、ランプ制御基板等が設けられる場合もある。
【００２３】
また、スロットマシンやそれに類する遊技機以外の遊技機、例えば、パチンコ機やそれに類する遊技機であってもこの発明を実施することができる。この場合、遊技盤の後側に設けられたカバー体（裏カバー等と呼ばれることもある）をボックス装着部材とし、そのカバー体の後面にボックス装着部が設けられる。
【００２４】
【発明の効果】
以上述べたように、この発明によれば、基板ボックスを装着位置に配置することで、基板ボックスに対する不正行為を防止することができる。また、基板ボックスを装着位置から回動位置に配置切換することで、同基板ボックスの保守・点検を容易に行うことができる。
【図面の簡単な説明】
【図１】この発明の実施の形態に係る遊技機の筺体に対し扉体が開放された状態を示す斜視図である。
【図２】同じく遊技機の正面図である。
【図３】同じく遊技機の側面図である。
【図４】同じく遊技機の筺体に対し遊技ユニットを取り外した状態を示す斜視図である。
【図５】同じく遊技ユニットを示す斜視図である。
【図６】同じくボックス装着部と基板ボックスの関係を示す斜視図である。
【図７】同じくボックス装着部に対し基板ボックスが装着位置に配置された状態を示す側断面図である。
【図８】同じくボックス装着部に対し基板ボックスが回動位置に配置された状態を示す側断面図である。
【符号の説明】
１０  筺体
２０  遊技ユニット
２１  ユニット本体枠
４０  回胴回転装置
４１  回胴体
５０  上扉体
７０  ボックス装着部
８０  基板ボックス
８６  制御基板
８６ａ  実装面
８７  基板コネクタ
９０  接続線
９１  端末コネクタ
【図１】
2004275391.tif 000003
【図２】
2004275391.tif 000004
【図３】
2004275391.tif 000005
【図４】
2004275391.tif 000006
【図５】
2004275391.tif 000007
【図６】
2004275391.tif 000008
【図７】
2004275391.tif 000009
【図８】
2004275391.tif 000010